(57)【要約】  本発明は、眼科用レンズの保存ケースと共に機能するための消毒放射線基部を提供する。この消毒放射線基部は、保存ケースの表面を消毒するための消毒放射線を提供する。この消毒放射線基部は、基部に付随する自動機能に使用されるプロセッサ及びデジタルメモリも備えてよい。
2013538066.tif 000002
【特許請求の範囲】
【請求項１】
１枚又は２枚以上の眼科用レンズを保存する眼科用レンズ保存ケースを受容するための基部であって、
眼科用レンズ保存ケースを受容するための容器と、
前記眼科用レンズ保存ケースの表面に消毒放射線をもたらすための消毒放射線源と、を備える、基部。
【請求項２】
眼科用レンズ保存区画の方向に消毒放射線を反射させるための反射性表面を更に備える、請求項１に記載の基部。
【請求項３】
消毒放射線量を感知できるセンサー、及び前記消毒放射線源によって発せられる放射線量を制御できるフィードバックループを更に備える、請求項１に記載の基部。
【請求項４】
前記消毒放射線源が、１つ又は２つ以上の電子的構成要素を備える、請求項１に記載の基部。
【請求項５】
前記１つ又は２つ以上の電子的構成要素の少なくとも一部が、レンズ保存ケースを含むキャップの上で位置合わせされる、請求項４に記載の基部。
【請求項６】
前記１つ又は２つ以上の電子的構成要素の少なくとも一部が、レンズ保存ケースを含むレンズホルダーの下で位置合わせされる、請求項５に記載の基部。
【請求項７】
前記１つ又は２つ以上の消毒放射線源が、紫外線発光ダイオードを含む、請求項６に記載の基部。
【請求項８】
前記紫外線発光ダイオードが、２５０ナノメートル〜２８０ナノメートルの周波数の放射線を発する、請求項７に記載の基部。
【請求項９】
前記発せられた消毒放射線が、前記眼科用レンズ保存ケースの表面上の生物を死滅させるのに十分である、請求項１に記載の基部。
【請求項１０】
前記眼科用レンズ保存ケースに消毒放射線を向けるための光学素子を更に備える、請求項１に記載の基部。
【請求項１１】
前記消毒放射線の生成を制御するためのプロセッサを更に備える、請求項１に記載の基部。
【請求項１２】
消毒放射線が提供される期間は、前記プロセッサによって生じた論理制御信号に基づいている、請求項１１に記載の基部。
【請求項１３】
消毒放射線が提供される強度は、前記プロセッサによって生じた論理制御信号に基づいている、請求項１１に記載の基部。
【請求項１４】
前記消毒放射線源の動作に基づいて音声信号を提供するように機能する音声的構成要素を更に備える、請求項１１に記載の基部。
【請求項１５】
前記プロセッサによって送られたデジタルデータに基づいて消毒プロセスのステータスを表示するためのディスプレイを更に備える、請求項１１に記載の基部。
【請求項１６】
消毒プロセスに関連する情報を保存するためのデジタルストレージを更に備える、請求項１１に記載の基部。
【請求項１７】
前記保存基部内に配置された保存ケースに機械的動作をもたらすための振動発生装置を更に備える、請求項１に記載の基部。
【請求項１８】
前記振動発生装置が圧電機構を備える、請求項１７に記載の基部。
【請求項１９】
前記圧電機構が、プロセッサによって生じた論理信号に基づいて稼働する、請求項１７に記載の基部。
【請求項２０】
前記プロセッサ及び前記デジタルストレージの片方又は両方と個人用処理装置との間の論理通信を提供するためのユニバーサルシリアルバスコネクタを更に備える、請求項１６に記載の基部。
【請求項２１】
前記保存基部を稼働させるための電流を供給するユニバーサルシリアルバスコネクタを更に備える、請求項１６に記載の基部。
【請求項２２】
前記保存基部を稼働させるための電力を蓄積する蓄電装置を更に備える、請求項１に記載の基部。
【請求項２３】
前記蓄電装置が、１つ又は２つ以上の充電式電池を含む、請求項２２に記載の基部。
【請求項２４】
前記蓄電装置が、１つ又は２つ以上のリチウムイオン電池を含む、請求項２３に記載の基部。
【請求項２５】
放射線のパターンは、前記プロセッサからの信号に基づいている、請求項１２に記載の基部。
【発明の詳細な説明】
【技術分野】
【０００１】
（関連出願の相互参照）
本出願は、２０１１年５月３１日に出願された米国特許出願第１３／１１８，９３１号及び２０１０年６月２３日に出願された米国特許仮出願第６１／３５７，７８６号に対する優先権を主張するものである。
【０００２】
（発明の分野）
本発明は、眼科用レンズを保存するためのケース、より具体的には、幾つかの実施形態において、コンタクトレンズなど眼科用レンズの保存中に消毒する機能を備えるケースを受容する基部について説明する。
【背景技術】
【０００３】
コンタクトレンズの取り扱い中に清潔な環境を維持することは、概して、良好な眼の状態に不可欠であると考えられている。十分に考慮されないことの多い清潔さの１つの観点は、コンタクトレンズケースの清潔な外面である。コンタクトレンズ取り扱い者が入念に手を洗い、レンズ溶液を適切に使用したとしても、このような行為の有効性は、バクテリア及び菌類など病原体がコンタクトレンズの保存に用いられるコンタクトレンズケースの外面に存在し得る場合に限定される。
【０００４】
多くの場合、ケースの上部を取り外してケース内に保存されたレンズに達するプロセス中に、清潔な手がコンタクトレンズの外面に付着する病原体と接触する。このような接触の結果、それまでは清潔だった手が、病原体で汚染された状態になる。レンズの取り扱い及び眼への装着中には、汚染された手が、保存ケース内の溶液で最近まで消毒されていたレンズに病原体を感染させ得る。この結果、コンタクトレンズ着用者の眼の領域に病原体が持ち込まれるリスクが高くなる。
【０００５】
ヒドロゲルコンタクトレンズは、今日極一般的である。これらのレンズは、硬質材料から作製されたコンタクトレンズよりも着用が快適であることが多い。多くのヒドロゲルコンタクトレンズは、１日を超えて着用できる。レンズ着用中に微生物生命及びバクテリアがレンズ上に蓄積されるため、概してレンズを定期的に取り外し、消毒することが望ましい。
【発明の概要】
【発明が解決しようとする課題】
【０００６】
コンタクトレンズの消毒は、伝統的にコンタクトレンズを容器又はケース内に配置し、コンタクトレンズを化学消毒剤に曝すことが必要である。しかし、化学消毒剤は、所望されるとおりに常に有効であるわけではない。時には、バクテリア、カビ、菌類、又は他の種類の有害な生物形態が付着したコンタクトレンズが使用者の眼に再挿入され、その結果、使用者の眼が罹患する。加えて、消毒溶液はどちらかといえば高価であり、視力矯正又は美容向上のためにコンタクトレンズを使用する総費用を増加させる。したがって、コンタクトレンズを消毒するための新しい方法及びアプローチが必要である。
【課題を解決するための手段】
【０００７】
したがって、本発明は、再利用可能なコンタクトレンズの保存及び保存中のレンズの消毒、並びにまた、レンズ保存ケースの少なくとも一部分の消毒を行うための眼科用レンズの保存ケースの基部を含む。この基部は、レンズケース上のバクテリア、ウイルス、カビ、菌類など好ましくない病原体を死滅させるのに好適な波長及び強度で、保存ケースの表面に対して消毒放射線を発生させることができる。
【０００８】
加えて、幾つかの実施形態では、この基部は、死滅した微生物を効果的に移動させ、死滅していない微生物の消毒放射線への曝露を増加させるのに機械的に十分な振動周波数をもたらす。
【０００９】
別の態様において、幾つかの実施形態では、消毒放射線基部は、消毒放射線基部に装着された眼科用レンズ保存ケースに向けて消毒放射線を反射させるための、ミラーなど１つ又は２つ以上の反射性表面を備える。
【図面の簡単な説明】
【００１０】
【図１】本発明の幾つかの実施形態による基部ユニット内のレンズ保存ケースを示す。
【図２】本発明によるレンズ保存ケース内での消毒放射線源と眼科用レンズとの位置合わせの幾つかの実施形態を示す。
【図３】本発明の幾つかの実施形態による、１つのキャップが取り外された状態の保存ケースの拡大図。
【図４】本発明の幾つかの実施形態による基部ユニットの態様を示す。
【図５】ディスプレイを備える、閉鎖状態の基部ユニットを示す。
【図６】汚れた状態の、先行技術のコンタクトレンズ保存ケースを示す。
【発明を実施するための形態】
【００１１】
本発明は、眼科用レンズ保存ケースの表面を消毒するための方法及び装置を含む。加えて、本発明は、片方又は両方のレンズ及びレンズ保存ケースの表面が消毒放射線で消毒される間、眼科用レンズを保持するための保存ケースを含む。
【００１２】
以下の項において、本発明の実施形態がより詳細に説明される。好ましい実施形態及び代替の実施形態の両方の説明は、代表的な実施形態に過ぎず、変形、修正、及び代替が当業者にとって明白であり得ることが理解される。したがって、上述した代表的な実施形態は、基礎となる発明の範囲を限定するものではないと理解されるべきである。
【００１３】
用語
本発明を目的とする本説明及び特許請求の範囲において、以下の定義が適用される、様々な用語が使用され得る。
【００１４】
消毒放射線：本明細書で使用するとき、消毒放射線量を受容する生物形態の平均寿命を短縮させるのに十分な周波数及び強度の放射線を指す。
【００１５】
消毒放射線量：本明細書で使用するとき、対数目盛りで少なくとも２対数、好ましくは３対数以上の病原体生物の量を低減させる放射線量を指し、生物には、少なくともバクテリア、ウイルス、カビ、及び菌類が含まれる。
【００１６】
レンズ：眼の内部又は眼の上にある任意の眼科用装置を指す。これらの装置は視覚補正をもたらすことができるか、又は美容用であってもよい。例えば、レンズという用語は、コンタクトレンズ、眼内レンズ、オーバーレイレンズ、眼用挿入物、光学挿入物、又は他の同様の、視力が補正若しくは変更される装置か、又は視力を妨げることなく目の生理機能が美容的に拡張される（例えば、虹彩色）装置を指すことができる。実施形態によっては、本発明の好ましいレンズは、シリコーンヒドロゲルを含むがこれに限定されないシリコーンエラストマー又はヒドロゲル、及びフルオロヒドロゲルから作製されるソフトコンタクトレンズである。
【００１７】
まず図６を参照すると、保存ケースのレンズホルダー６０１と、保存ケースの蓋６０２と、を備えるコンタクトレンズ保存ケース６００の例が図示されている。図示されるように、場合によっては、コンタクトレンズ保存ケース６００は、保存ケース１００の１つ又は２つ以上の表面に著しい汚れ及び病原体の堆積物６０３が蓄積される。
【００１８】
ここで図１を参照すると、放射線ベースの消毒基部１０１と、放射線ベースの消毒用保存ケース１０２と、１つ又は２つ以上の消毒放射線源１０３〜１０４と、を備える、眼科用レンズ消毒システム１００が図示されている。放射線ベースの消毒用保存ケース１０２は、保存ケースの蓋と、保存ケースホルダーと、を備えてよい。本発明によると、放射線ベースの消毒用保存ケース１０２は、放射線ベースの消毒用レンズ保存ケース１０２の片面又は両面、及び消毒用保存ケース１０２内に保存される眼科用レンズ（図示なし）が、１つ又は２つ以上の消毒放射線源１０３〜１０４から生じる放射線に曝露され、放射線ベースの消毒用レンズ保存ケース１０２上に又はこれに近接して存在する病原体が、消毒放射線源１０３〜１０４によってもたらされる消毒放射線に曝露されて死滅し、本質的に眼科用レンズの片方又は両方、及びレンズ保存ケースの表面を消毒するように、１つ又は２つ以上の消毒放射線源１０３〜１０４からの放射線の経路内に配置される。
【００１９】
図示されるように、概して二枚貝式の形体である眼科用レンズ消毒システム１００は、放射線消毒基部１０１及び蓋１０６が開放状態で配置される。放射線消毒用保存ケース１０２は、二枚貝の放射線消毒保存システム１００内に配置して示されている。幾つかの好ましい実施形態では、放射線消毒用保存ケース１０２は、消毒放射線源１０３と放射線消毒用保存ケース１０２との位置合わせを行うための位置決め機構１０５を備える。図示されるように、位置決め機構１０５は、消毒放射線源１０３の環状配置を受容するための環状凹部を備える。位置決め機構１０５には、ほぼすべての多角形状凹部が含まれてよい。他の実施形態では、１つ又は２つ以上の位置合わせピンが含まれてよい。更に他の実施形態では、位置決め機構１０５には、スナップ、ねじ付き接合部、又は他の取り外し可能な固定式接合部が含まれてよい。
【００２０】
幾つかの実施形態では、位置決め機構１０５は、眼科用レンズ消毒システム１００内に配置された保存ケース１０２の上面に概して直交する位置に放射線消毒用放射線源１０３〜１０４を合わせる。更なる実施形態では、位置決め機構１０５は、眼科用レンズ消毒システム１００内に配置された保存ケース１０２の平面に概して直交する位置に放射線消毒用放射線源１０３を合わせる。
【００２１】
別の態様において、幾つかの実施形態では、放射線消毒基部１０１は、放射線消毒基部１０１から放射線消毒用保存ケース１０２、最終的には放射線消毒用保存ケース１０２内に保存されたレンズへと振動周波数を送信できる振動周波数源１０６も備えてよい。
【００２２】
幾つかの好ましい実施形態では、振動周波数は、死滅した生物形態を放射線の経路内から移動させ、死滅していない生物形態に達することができる周波数であってよい。死滅した生物形態を移動させると、より多くの死滅していない生物形態を放射線の直接経路に曝露することによって、より有効な消毒が可能になる。
【００２３】
１つ又は２つ以上の放射線消毒用放射線源１０３〜１０４には、１つ又は２つ以上の発光ダイオード（ＬＥＤ）が含まれてよい。幾つかの好ましい実施形態では、このＬＥＤには、紫外線（ＵＶ）照射ＬＥＤが含まれる。好ましい実施形態では、光放射の波長が約２５０ナノメートル〜約２８０ナノメートルである光放射を発するＬＥＤが含まれてよく、好ましくは、この波長は２５０ナノメートル〜２７５ナノメートル、最も好ましくは２５４ナノメートルである。
【００２４】
ここで図２を参照すると、ブロック図には、コンタクトレンズ保存ケース２０１に向けて、ＵＶスペクトルで消毒放射線２０２を発する１つ又は２つ以上のＵＶ  ＬＥＤなど、放射線消毒源２００の位置合わせの幾つかの実施形態が図示されている。幾つかの好ましい実施形態では、ＵＶ  ＬＥＤは、放射線消毒用保存ケースがコンタクトレンズ保存ケース２０１に対して特定の位置に位置合わせされるように配置される。この位置合わせは、位置合わせ機構を用いて保持される。
【００２５】
幾つかの実施形態では、放射線消毒用保存ケースは、コンタクトレンズ保存ケース２０１の上面を横断する平面２０３に本質的に直交する角度でＵＶ放射線２０２を向けるように位置合わせされる。
【００２６】
他の実施形態では、放射線消毒用保存ケースは、コンタクトレンズ保存ケース２０１の底部を横断する平面２０５に本質的に直交する角度で１つ又は２つ以上のＵＶ照射ＬＥＤ  ２００Ａからの消毒放射線２０２Ａを向けるように位置合わせされてよい。
【００２７】
別の態様において、幾つかの実施形態では、１つ又は２つ以上の光学素子２０４を用いて、消毒放射線の焦点を消毒放射線用保存ケース２０１に合わせてよい。光学素子は、基部又は保存ケースの一部に含まれてよい。
【００２８】
ここで図３を参照すると、例示の放射線消毒用保存ケース３００が図示されている。放射線消毒用保存ケース３００は、１つ又は２つ以上のレンズ保存区画３０１を備える。保存区画３０１は、コンタクトレンズなど１枚又は２枚以上の眼科用レンズを収容し、保存できる。
【００２９】
幾つかの実施形態は、放射線消毒用保存ケース３００に含まれる保存区画３０１に保存された眼科用レンズの位置を合わせる１つ又は２つ以上のレンズ位置合わせ機構３０２を備える。レンズ位置合わせ機構３０２には、例えば眼科用レンズの内寸と概ね同じ寸法及び形状の弓状面を備える台が挙げられてよい。凸面には、放射線消毒用保存ケース３００内に保存される眼科用レンズの凹面の弧と概ね等しい弧が含まれてよい。他の実施形態では、眼科用レンズの外寸と概ね同じ寸法及び形状のくぼみを備えるレンズ位置合わせ機構３０６が含まれてよい。
【００３０】
好ましい位置決めでは、保存されたレンズは消毒放射線の直接経路に合わせられる。しかし、他の実施形態では、１つ又は２つ以上の反射性表面３０６が含まれてよい。反射性表面３０６には本質的にミラーが含まれ、消毒放射線を所望の方向に反射させる機能を有する、ガラス、プラスチック、金属、又はコーティングから形成されてよい。概して、この方向は、基部に配置された保存ケース３００に保存されたレンズに向かっている。幾つかの実施形態では、反射性表面３０６は、保存されたレンズの表面に概して近接する、及び／又は概して平行であってよい。他の実施形態では、保存されたレンズの外辺部を概して囲む反射性表面３０６が含まれてよい。
【００３１】
保存区画３０１には、１つ又は２つ以上の放射線窓３０３〜３０４が備えられてよい。放射線窓３０３〜３０４は、消毒放射線の波長に対して少なくとも部分的に透明である放射線消毒用保存ケースの一部分をもたらす。好ましくは、放射線窓３０３〜３０４は、保存区画３０１に伝わる消毒放射線に対して、可能な限り１００％に近く透過的である。射出成形可能なプラスチックは、ＵＶ放射線に対して９０％以上、又は更には９８％以上透過的であってよい。特定の波長には、約２５４ナノメートル〜２８０ナノメートルが含まれてよい。
【００３２】
幾つかの実施形態では、放射線窓は、保存区画３０１に保存された眼科用レンズの領域に消毒放射線を向けるための光学素子を備えてもよい。
【００３３】
放射線窓３０３〜３０４が形成され得る材料の例としては、例えば、環状オレフィン、ＴＯＰＡＳ、ＺＥＯＮＯＲ、又は他の射出成形可能なプラスチックが挙げられる。他のプラスチック又はガラスも、放射線窓３０３〜３０４の材料として用いられてよい。放射線窓３０３〜３０４の領域は、保存区画３０１に保存された眼科用レンズ上に存在する生物形態を死滅させるのに十分な消毒放射線を保存区画にもたらすのに十分である必要がある。
【００３４】
放射線消毒用保存ケースの幾つかの好ましい製造方法としては、射出成形法が挙げられる。他の方法としては、例えば、旋盤加工、ステレオリソグラフィー、及び三次元印刷が挙げられる。
【００３５】
別の態様では、放射線消毒用保存ケース３００は、キャップ３０６の固定、及び保存区画３０７からのキャップ３０６の取り外しを行うための締結機構３０５Ａ〜３０５Ｂを備えてもよい。締結機構３０５Ａ〜３０５Ｂは、ネジ付き部分、スナップ、及び使用者の裁量によりキャップ３０８をケースに取り外し可能に固定するための他の機構のテーパ形状接合部を備えてよい。キャップ３０８が保存区画３０７に固定されている間、キャップは、保存区画３０７から雰囲気を遮断し、同時に区画３０７内に眼科用レンズ、及び幾つかの実施形態では、例えば食塩水などの溶液を収容する。
【００３６】
ここで図４を参照すると、放射線消毒基部ユニット４００が複数の消毒放射線源ＬＥＤ  ４０１〜４０２と共に図示されている。図示されるように、消毒放射線源ＬＥＤ  ４０１〜４０２は、天井部の消毒放射線源ＬＥＤ  ４０１及び下方の消毒放射線源ＬＥＤ  ４０２の片方又は両方を備えてよい。天井部の消毒放射線源ＬＥＤ  ４０１及び下方の消毒放射線源ＬＥＤ  ４０２に加えて、基部ユニットは、放射線消毒基部４００に関連する様々な側面を制御するための制御電子回路を有するプロセッサボードを４０３備えてよい。
【００３７】
プロセッサボード４０３は、デジタルストレージ４０８に接続されていてよい。デジタルストレージは、コマンドに応じて又は放射線消毒基部ユニット４００の動作時に自動的に実行可能である実行可能ソフトウェアを含んでよい。デジタルストレージ４０８は、放射線消毒用ケース４００の動作に関連するデータを保存してもよい。動作データとしては、例えば、放射線消毒基部ユニット４００の稼働期間、消毒されたレンズのシリアル番号、レンズの使用期間、又は他の情報が挙げられてよい。幾つかの実施形態では、放射線消毒基部ユニット４００は、スキャナー４０９又は放射線消毒基部ユニット４００に保存されたレンズに関連する識別番号を入力するための他の入力手段を備えてよい。例えば、スキャナー４０９は、バーコード又はレンズパッケージ上の他の記号をスキャンし、バーコード番号又は記号に関連する消毒情報を記録してよい。記録され得る情報としては、例えば、レンズが消毒放射線に曝露された時間数及びレンズが使用された日数が挙げられてよい。
【００３８】
放射線消毒基部ユニット４００には、電気通信コネクタ４０４も備えられてよい。電気通信コネクタ４０４には、ユニバーサルシリアルバス（ＵＳＢ）コネクタ又は他の種類のコネクタが含まれてよい。このコネクタは、データ及び電力の一方又は両方を伝達するための端子を備えてよい。幾つかの実施形態では、電気通信コネクタ４０４は、放射線消毒基部ユニット４００を稼働させるための電力を供給する。幾つかの実施形態では、１つ又は２つ以上の電池４０５又は他の蓄電装置も備えられてよい。幾つかの好ましい実施形態では、電池４０５には、１つ又は２つ以上のリチオムイオン電池又は他の充電式装置が含まれる。蓄電装置は、電気通信コネクタ４０４を用いて充電電流を受容できる。好ましくは、放射線消毒基部ユニット４００は、電池４０５に蓄えられた電力を用いて稼働できる。
【００３９】
幾つかの実施形態では、電気通信コネクタ４０４には、単純なＡＣ又はＤＣ電流源が含まれてよい。
【００４０】
別の態様では、本発明は、振動発生装置４０６など機械的動作源を備えてよい。振動発生装置４０６としては、例えば圧電変換器が挙げられてよい。圧電変換器は低電力の信頼性の高い装置を提供して、機械的運動又は振動運動をもたらす。
【００４１】
幾つかの実施形態では、振動運動は、放射線消毒基部ユニット４００内の保存ケース内に蓄えられた死滅した生物を効果的に移動させる周波数に合わせて調整される。死滅した生物を移動させることにより、この移動が無ければ消毒放射線から保護されていたであろう生存生物が曝露される。
【００４２】
更に別の態様において、幾つかの実施形態では、プロセッサボード４０３又は他の電子回路が、消毒放射線源ＬＥＤ  ４０１〜４０２によって発せられる光線又は放射線のパターンを制御してよい。このパターンとしては、例えば、固定周波数又は可変周波数のストローブが挙げられてよい。
【００４３】
幾つかの実施形態では、ディスプレイ４０７も備えられてよい。ディスプレイ４０７は、プロセッサボード４０３と論理通信を行っており、人間が読み取れる形態で、放射線消毒基部ユニット４００の動作に関するデータを伝えるために用いられる。
【００４４】
別の態様において、幾つかの実施形態では、１つ又は２つ以上のＵＶセンサー４１０が存在するＵＶ放射線量をモニタし、消毒放射線源ＬＥＤ  ４０１〜４０２からの出力を制御するフィードバックループに入力を提供してよい。幾つかの実施形態では、ＵＶ放射線が１つ又は２つ以上のレンズ保存ケース及び保存されたレンズを通過した後で、ＵＶ放射線を受容する１つ又は２つ以上のＵＶセンサー４１０が備えられる。
【００４５】
ＵＶセンサー４１０のフィードバックを使用することにより、ＬＥＤの寿命期間にわたって減少する放射線を発し得るＬＥＤに対応し、また、透過特性がケースによって異なり得る別のレンズ保存ケースにも対応する。
【００４６】
ここで図５を参照すると、放射線消毒基部ユニット５００が閉鎖位置で図示されている。図示される実施形態では、放射線消毒基部５０１は蓋５０２で覆われており、蓋５０２は、放射線消毒基部５０１にヒンジ結合され、放射線消毒基部５０１の上に折り重ねられている。他の実施形態もまた、本発明の範囲内である。図示されるように、ディスプレイ５０３は蓋５０２内に配置され、放射線消毒基部ユニット５００で実行されている消毒サイクル又は処理に関する表示を提供してもよい。
【００４７】
結論
本発明は、上記に記載され、下記の特許請求の範囲で更に定義されるように、眼科用レンズを消毒するための装置を提供する。
【００４８】
〔実施の態様〕
（１）  １枚又は２枚以上の眼科用レンズを保存する眼科用レンズ保存ケースを受容するための基部であって、
眼科用レンズ保存ケースを受容するための容器と、
前記眼科用レンズ保存ケースの表面に消毒放射線をもたらすための消毒放射線源と、を備える、基部。
（２）  眼科用レンズ保存区画の方向に消毒放射線を反射させるための反射性表面を更に備える、実施態様１に記載の基部。
（３）  消毒放射線量を感知できるセンサー、及び前記消毒放射線源によって発せられる放射線量を制御できるフィードバックループを更に備える、実施態様１に記載の基部。
（４）  前記消毒放射線源が、１つ又は２つ以上の電子的構成要素を備える、実施態様１に記載の基部。
（５）  前記１つ又は２つ以上の電子的構成要素の少なくとも一部が、レンズ保存ケースを含むキャップの上で位置合わせされる、実施態様４に記載の基部。
（６）  前記１つ又は２つ以上の電子的構成要素の少なくとも一部が、レンズ保存ケースを含むレンズホルダーの下で位置合わせされる、実施態様５に記載の基部。
（７）  前記１つ又は２つ以上の消毒放射線源が、紫外線発光ダイオードを含む、実施態様６に記載の基部。
（８）  前記紫外線発光ダイオードが、２５０ナノメートル〜２８０ナノメートルの周波数の放射線を発する、実施態様７に記載の基部。
（９）  前記発せられた消毒放射線が、前記眼科用レンズ保存ケースの表面上の生物を死滅させるのに十分である、実施態様１に記載の基部。
（１０）  前記眼科用レンズ保存ケースに消毒放射線を向けるための光学素子を更に備える、実施態様１に記載の基部。
【００４９】
（１１）  前記消毒放射線の生成を制御するためのプロセッサを更に備える、実施態様１に記載の基部。
（１２）  消毒放射線が提供される期間は、前記プロセッサによって生じた論理制御信号に基づいている、実施態様１１に記載の基部。
（１３）  消毒放射線が提供される強度は、前記プロセッサによって生じた論理制御信号に基づいている、実施態様１１に記載の基部。
（１４）  前記消毒放射線源の動作に基づいて音声信号を提供するように機能する音声的構成要素を更に備える、実施態様１１に記載の基部。
（１５）  前記プロセッサによって送られたデジタルデータに基づいて消毒プロセスのステータスを表示するためのディスプレイを更に備える、実施態様１１に記載の基部。
（１６）  消毒プロセスに関連する情報を保存するためのデジタルストレージを更に備える、実施態様１１に記載の基部。
（１７）  前記保存基部内に配置された保存ケースに機械的動作をもたらすための振動発生装置を更に備える、実施態様１に記載の基部。
（１８）  前記振動発生装置が圧電機構を備える、実施態様１７に記載の基部。
（１９）  前記圧電機構が、プロセッサによって生じた論理信号に基づいて稼働する、実施態様１７に記載の基部。
（２０）  前記プロセッサ及び前記デジタルストレージの片方又は両方と個人用処理装置との間の論理通信を提供するためのユニバーサルシリアルバスコネクタを更に備える、実施態様１６に記載の基部。
【００５０】
（２１）  前記保存基部を稼働させるための電流を供給するユニバーサルシリアルバスコネクタを更に備える、実施態様１６に記載の基部。
（２２）  前記保存基部を稼働させるための電力を蓄積する蓄電装置を更に備える、実施態様１に記載の基部。
（２３）  前記蓄電装置が、１つ又は２つ以上の充電式電池を含む、実施態様２２に記載の基部。
（２４）  前記蓄電装置が、１つ又は２つ以上のリチウムイオン電池を含む、実施態様２３に記載の基部。
（２５）  放射線のパターンは、前記プロセッサからの信号に基づいている、実施態様１２に記載の基部。
【図１】
2013538066.tif 000003
【図２】
2013538066.tif 000004
【図３】
2013538066.tif 000005
【図４】
2013538066.tif 000006
【図５】
2013538066.tif 000007
【図６】
2013538066.tif 000008
【国際調査報告】
2013538066.tif 000009
2013538066.tif 000010